(57)【要約】    【課題】      着用時の心理抵抗が低く、使用後の取り外すときに指や衣類が経血で汚れたり、床または便器に落ちたりすることがなく、経血漏れが生じにくく、薄くて衣服の上から目立たない生理用品を提供する。    【解決手段】  ナプキン本体２００の上面に膣口吸収体３００を繋留配置する。膣口吸収体３００は、膣口から出てきた経血を即座に吸収する。さらに、膣口吸収体３００は、吸収した経血をナプキン本体２００に渡す。ナプキン本体２００は、膣口吸収体３００が中継した経血を吸収する。  【選択図】      図１
2007054136.tif 000002
【特許請求の範囲】
【請求項１】
経血を吸収する吸収層を有するナプキン本体と、前記ナプキン本体の上面に繋留配置された吸収体と、を有する吸収体付きナプキンであって、
前記吸収体は、経血を吸収し、吸収した前記経血をナプキン本体に渡す吸収体本体と、前記吸収体本体を格納する吸収体格納袋とを有する吸収体付きナプキン。
【請求項２】
前記吸収体は、前記ナプキン本体の上面に、装着方向前方で係止される請求項１記載の吸収体付きナプキン。
【請求項３】
前記ナプキン本体の上面に、装着方向両側方で支持する支持部をさらに有し、
前記支持部は、装着方向前方における前記吸収体の可動領域が装着方向後方における可動領域より狭く配置される、
請求項１記載の吸収体付きナプキン。
【請求項４】
前記吸収体は、前記ナプキン本体の上面に、着脱可能に係止される請求項１記載の吸収体付きナプキン。
【請求項５】
前記ナプキン本体は、経血をナプキン本体内部へと渡す表面シートと、ナプキン本体内に吸収された経血の外部漏出を防ぐ裏面シートをさらに有し、
前記吸収体格納袋および前記表面シートは透水性であり、
前記裏面シートは不透水性である請求項１記載の吸収体付きナプキン。
【請求項６】
前記吸収層は、水溶性重合性モノマーの重合体および非イオン性両親媒性高分子がセミ相互侵入高分子網目構造を形成する吸水性樹脂を有する請求項１記載の吸収体付きナプキン。
【発明の詳細な説明】
【技術分野】
【０００１】
本発明は、吸収体付きナプキンに関する。
【背景技術】
【０００２】
従来、一般的に用いられている生理用品として、生理用タンポンおよび生理用ナプキンがある。
【０００３】
生理用タンポンは、経血漏れを完全に防止することができるが、膣内に直接装着する内装式であるため、着用時の異物感や不快感、膣内への装着困難性を生じるという問題がある。
【０００４】
一方、生理用ナプキンは、身体に負担をかけずに使用できるが、生理用ナプキンの膣口付近への密着性が乏しいため、経血漏れを完全には防止することはできない。そこで、経血漏れを防ぐべく、吸収ポリマーの使用による吸収力強化や形状の工夫など多大な努力が払われている。例えば、一例として、夜専用生理用ナプキンとして大型で高い吸収力を備えたものが挙げられる。
【０００５】
しかし、たとえ吸収力が高い生理用ナプキンであっても、少しでも隙間ができてしまうと経血漏れが生じてしまう。これは、就寝時に生理用ナプキンと膣口との間に隙間が生じると、生理用ナプキンと身体との間の隙間は重力のかかる方向と平行になるため、仰臥位では膣口から出た経血は生理用ナプキンと接触することなく肛門方向に流れてしまうためである。そこで、夜専用生理用ナプキンは、経血吸収領域を後方に大きく伸ばし、当該領域で後方に流れた経血を受けとめることにより、経血漏れを防ごうとしている。しかし、この構成でも完全に就寝時の漏れを防ぐことはできていない。すなわち、多量の経血を伴う場合、尾骨付近にまで達した経血が吸収力の低い生理用ナプキンの後方領域に集中してしまい、吸収容量を越えて漏れてしまうことがある。
【０００６】
また、このように生理用ナプキンの吸収力を高めるためには、吸収層に粉砕パルプや吸収性樹脂などの吸収材を多量に使用しなければならない。このため、生理用ナプキン全体が大きなものとなってしまい、衣服の上からでも目立つようになってしまうという欠点もある。
【０００７】
さらに、側臥位の場合は膣口から出た経血が大腿部方向に流れてしまうため、漏れ防止対策として生理用ナプキンの側方部にも工夫を持たせている。しかし、これらの工夫は、経血が身体を伝って生理用ナプキンの外側へ流れ出るのを抑え、経血による下着の汚染を防止することを目的としているものである。したがって、生理用ナプキン外への流血防止策としては有効であるが、外陰部は流れた経血が広範囲に付着してしまい、不快感が生じる。
【０００８】
このように、生理用ナプキンの経血漏れを防ぐ改善策として、生理用ナプキンと身体との間に隙間を作らない対策が必要である。例えば、生理用ナプキンの中央部を盛上げ、膣口周辺に密着させる方法がある。しかしながら、生理用ナプキンは、接着テープにより衣類に固定されているため、衣類の動きには連動するが身体の動きには連動性がない。このため、常に膣口と生理用ナプキンが接触しているとは言いきれず、経血漏れの危険性は常に残っている。
【０００９】
そこで、上記問題を解決するために、特許文献１に示されている漏れ防止吸収体が提案されている。特許文献１の方法では、生理用ナプキンとは完全に分離した漏れ防止吸収体を生理用ナプキンの上に置くことで、膣口と生理用ナプキンの間にずれが生じても漏れ防止吸収体が常に膣口を塞ぎ、経血漏れを生じにくくする。
【００１０】
また、特許文献２に示されるような陰唇間パッドも提案されている。陰唇間パッドは、女性の陰唇間に挟み込んで装着するものであり、陰唇間パッド単独で経血を吸収する。生理用ナプキンよりも身体との密着性が高いために経血漏れが生じにくく、また、膣内に挿入する生理用タンポンに比べて着用時の心理抵抗も低いという特徴を有している。
【特許文献１】特開２００２−０１７７７７号公報
【特許文献２】特開２００４−０９７６９３号公報
【発明の開示】
【発明が解決しようとする課題】
【００１１】
しかしながら、陰唇間パッドは、使用後の取り外すときに、経血を吸収した陰唇間パッドを指で直接陰唇間から取り外さなければならない。このため、指に経血が付きやすく、衛生面で問題がある。
【００１２】
また、漏れ防止吸収体や陰唇間パッドは、使用中または使用後の取り外すときに陰唇から落ちてしまい衣類を汚してしまう可能性もある。これは、陰唇間パッドに吸収された血液の重みで、陰唇間パッドが重力方向に落下するためである。着用時にはさむのが浅かった場合や、取り外すときの姿勢が悪かったりした場合にも生じる可能性が高い。また、陰唇間パッドが便器へ落下する可能性もあり、その場合は便槽に悪影響を及ぼしてしまう。
【００１３】
さらに、陰唇間パッドを単独で使用する場合、陰唇間パッドが小さいために経血の量が陰唇間パッドの吸収許容量を越えてしまい、陰唇間パッドから経血が漏出してしまう可能性も考えられる。こうした、パッドのズレや、吸収許容量超過による漏出は使用者にとっての不安を与える可能性がある。
【００１４】
本発明は、かかる点に鑑みてなされたものであり、着用時の心理抵抗が低く、使用後の取り外すときに指や衣類が経血で汚れたり、床または便器に落ちたりすることがなく、安心して使用でき、経血漏れが生じにくい生理用品を提供することを目的とする。
【課題を解決するための手段】
【００１５】
本発明の吸収体付きナプキンは、経血を吸収する吸収層を有するナプキン本体と、前記ナプキン本体の上面に繋留配置された吸収体と、を有し、前記吸収体は、経血を吸収し、吸収した前記経血をナプキン本体に渡す吸収体本体と、前記吸収体本体を格納する吸収体格納袋とを有する構成を採る。
【発明の効果】
【００１６】
本発明によれば、着用時の心理抵抗が低く、使用後の取り外すときに指や衣類が経血で汚れたり、床または便器に落ちたりすることがなく、安心して使用でき、経血漏れが生じにくくすることができる。
【発明を実施するための最良の形態】
【００１７】
以下、本発明の実施の形態について、図面を参照して詳細に説明する。
【００１８】
本発明者は、生理用タンポンのような着用時の不快感・違和感がなく、かつ、生理用ナプキンで見られる膣口と身体との間の隙間をなくすためには、膣口と生理用ナプキンとの間に膣口吸収体を設置する必要があることを見出した。さらに、陰唇間パッドで生じる可能性がある、取り外すときに指や衣類が経血で汚れてしまうことや、床または便器へ落下することを防止するためには、前記膣口吸収体と生理用ナプキン本体とを連結させればよいことを見出したのである。
【００１９】
また、本発明では、生理用ナプキン本体と連結した膣口吸収体は、膣口から出てきた経血を即座に吸収する漏れ防止機能を担うだけではなく、膣口吸収体が吸収した経血を膣口の逆側（衣類側）で接触している生理用ナプキン本体に渡す経血中継機能をも担うようにした。このようにすることで、経血が大量で膣口吸収体だけでは吸収できない場合でも、吸収しきれない分を生理用ナプキン本体に吸収させることができ、結果として経血が漏れることがなくなるのである。さらに、膣口吸収体がナプキン本体の中央部に経血を確実に中継するため、ナプキン本体の吸収層を前後に大きくする必要が無くなる。結果として、ナプキン本体の中央部以外を薄くすることができ、衣服の上から見ても目立たなくなるのである。
【００２０】
図１は、本発明の一実施の形態に係る膣口吸収体付きナプキンの構成を示す斜視図、図２は図１の膣口吸収体付きナプキンの平面図、図３は図１の膣口吸収体付きナプキンの側面図である。図１では右奥が膣口吸収体付きナプキンの前方であり、図２および図３では右側が膣口吸収体付きナプキンの前方である。
【００２１】
図１から図３に示す膣口吸収体付きナプキン１００は、ナプキン本体２００の肌側表面２１０の中央部付近に膣口吸収体３００が配置されている。
【００２２】
膣口吸収体３００は、膣口吸収体付きナプキン１００を使用したときに、使用者の膣口に密着できる位置に配置されており、膣口から出てくる経血を吸収して前後左右への漏れを防ぐ。さらに、膣口吸収体３００は、ナプキン本体２００の肌側表面２１０との接触面を介して、一旦吸収した経血をナプキン本体２００の吸収領域２３０へと渡す。
【００２３】
図４に示すように、膣口吸収体３００は、膣口吸収体本体３１０が膣口吸収体格納袋３２０に格納された構成をしており、膣口吸収体格納袋３２０の一部はナプキン本体２００の肌側表面２１０に接着されている。
【００２４】
図１から図３では、接着箇所３３０は膣口吸収体３００の前方１箇所である場合を図示しているが、接着箇所３３０の数および位置はこれに限定されない。接着箇所３３０の数および位置は、使用者の身体とナプキン本体２００との間の使用中のずれを吸収するために、膣口吸収体３００がナプキン本体２００上を前後左右に移動できればよい。なお、ここで「接触箇所３３０は…前方１箇所」とは、膣口吸収体３００とナプキン本体２００との接触領域数のことを指しており、この領域中において複数箇所で圧着または接着されていてもよい。例えば、図２では、接着箇所３３０は前方１箇所であるが、この１箇所の接着箇所３３０において、膣口吸収体３００とナプキン本体２００は１箇所で一様に圧着されていてもよいし、６箇所に分けて圧着されていてもよい。以後の接着箇所３３０についての説明でも同様である。
【００２５】
膣口吸収体３００が配置される位置は、ナプキン本体２００の吸収領域２３０上であれば特に限定されないが、吸収力が高い吸収領域２３０の中心部付近が好ましい。また、膣口吸収体３００の形状および寸法は、膣口を中心とする外陰部の窪みに添うもので、膣口の出血箇所に接触するものであれば特に限定されない。
【００２６】
なお、上記の通り、膣口吸収体３００は、使用者の身体とナプキン本体２００との間の使用中のずれを吸収する役目も担っている。例えば、図４のように膣口吸収体格納袋３２０の大きさが膣口吸収体本体３１０に対して余裕を持つようにすることで、膣口吸収体本体３１０と接着箇所３３０との間にたるみができ、上記の目的を達成できる。この場合、膣口吸収体本体３１０と接着箇所３３０との間の部位の長さを長くすることによりたるみができ、膣口吸収体３００の前後左右方向への移動範囲を広くすることができる。このとき、膣口吸収体格納袋３２０の大きさが、膣口吸収体本体３１０に対して側方および後方に余裕を持たせすぎないように注意する必要がある。このようにしてしまった場合、使用時に膣口吸収体本体３１０が安定感を欠いたり、使用者が違和感や張り付き感を覚えたりすることがある。
【００２７】
膣口吸収体本体３１０の固定法は、図１から図３のような膣口吸収体格納袋３２０を用いたものに限定されない。例えば、膣口吸収体３００とナプキン本体２００の間を紐で留めたりすることも考えられる。なお、このように接着箇所３３０の数が１箇所の場合、膣口吸収体３００は使用中に後ろにずれやすいことを考慮すると、接着箇所３３０の位置は膣口吸収体３００に対して前方が好ましい。このようにすることで、膣口吸収体３００は前後左右へ移動できるようにしつつも、後ろへの移動幅を一定範囲内にすることができる。
【００２８】
また、図５および図６のように、膣口吸収体３００を左右両側にある蛇腹状の支持部３４０で固定しても良い。この場合も、前後左右への使用中のずれおよび膣口吸収体３００のねじれを吸収できるうえ、後方向への膣口吸収体３００のずれを一定範囲内に抑えることができる。さらに、左右二つの接着箇所３３０を平行にするのではなく、前方は狭くかつ後方は広くすることによって、膣口吸収体３００のずれ易さを方向ごとに調整することもできる。また、図７に示すように、膣口吸収体３００およびナプキン本体２００それぞれに取り付け部３５０、３６０を設けることで、膣口吸収体３００を着脱可能にすることもできる。
【００２９】
ナプキン本体２００は、図８の断面図に示すように、表面シート２４０、拡散層２５０、吸収層２６０、裏面シート２７０から構成される。図８では上側が肌側表面２１０、下側が衣類側表面２２０を示している。なお、図１から図２および図５から図７では、ナプキン本体２００は羽つき型のものを図示しているが、ナプキン本体２００の形状はこれに限定されない。例えば、普通型（羽なし）や夜専用の後方吸収領域が大きいものでもよい。
【００３０】
表面シート２４０は、膣口吸収体３００から渡された経血をすみやかに拡散層２５０へと渡す。また、使用後の拡散層２５０および吸収層２６０の汚れを見えにくくしている。
【００３１】
拡散層２５０は、表面シート２４０から経血をすばやく受け取り、吸収層２６０へと渡す。このとき、平面方向に経血を拡散させることで、経血を吸収層２６０の一点に集中させて限界量を超えてしまわないようにしている。
【００３２】
吸収層２６０は、経血を吸収する。
【００３３】
裏面シート２７０は、装着時に衣類に面する不透水性シートであり、経血が衣類を汚さないようにしている。
【００３４】
次に、膣口吸収体付きナプキンを形成する各素材について説明する。
【００３５】
膣口吸収体本体３１０は、経血を速やかに吸収できるものであれば特に限定されない。例えば、線状パルプ（パルプ繊維を線状にほぐしたもの）やクレープ紙（ティッシュペーパーを含む）などの天然繊維、レーヨンステープル綿などの化学繊維、高分子吸収材などの有機高分子材、およびこれらを組み合わせたものなどが挙げられる。
【００３６】
膣口吸収体格納袋３２０は、経血に対して透過性があり、使用中に破損しない程度の強度があれば素材は特に限定されない。例えば、合成繊維不織布や開孔プラスチックシートなどの有機高分子材、綿またはレーヨン不織布などの天然繊維および化学繊維、およびこれらを組み合わせたものなどが挙げられる。
【００３７】
表面シート２４０は、膣口吸収体格納袋３２０と同じく、経血に対して透過性があり、使用中に破損しない程度の強度があれば素材は特に限定されない。例としては、膣口吸収体格納袋３２０と同じ素材が挙げられる。
【００３８】
拡散層２５０は、経血をすばやく表面シートから受け取り、吸収層へと渡すことができれば素材は特に限定されない。例えば、ティッシュ、ハイロフト不織布、パルプラミネートなどが挙げられる。
【００３９】
裏面シート２７０は、不透水性であれば素材は特に限定されない。例えば、ポリエチレンシートや高分子弾性シート、撥水・疎水性不織布などの有機高分子材、防水加工紙などの天然繊維、ポリラミネート紙などの複合素材が挙げられる。
【００４０】
吸収層２６０は、膣口吸収体本体３１０と同じく、経血を速やかに吸収できるものであれば素材は特に限定されない。例としては、膣口吸収体本体３１０と同じ素材が挙げられる。
【００４１】
ここで、吸収層２６０には、タンパク質吸着抑制効果を備えた両親媒性高分子を含有する、水溶性重合性モノマーから成る吸水性樹脂をその一部または全部に用いても良い。
【００４２】
上記吸水性樹脂は、血液吸収性が高く、水溶性重合性モノマーの重合前に両親媒性高分子を水溶性重合性モノマー水溶液に混合するだけで得られる。これら二種類の物質を混合した後に重合することで、これら二種類の物質から成るセミ相互侵入高分子網目（semi-interpenetrated polymer networks）構造が形成され、結果として両親媒性高分子が水溶性重合性モノマーから成る重合体に物理的に固定されることになる。この方法を用いれば、両親媒性高分子を含有しない通常の吸水性樹脂の製造法と比較しても、加温処理などの特別な工程が必要ないため、通常の吸水性樹脂と同じように上記吸水性樹脂を容易に製造することができる。
【００４３】
すなわち、吸水性樹脂を水溶液重合によって作製する場合、水溶性重合性モノマーは、重合工程、脱水工程、粉砕工程、表面架橋処理工程、乾燥工程、の各工程を経て吸水性樹脂となるが、上記吸水性樹脂では両親媒性高分子を重合工程の直前で加える。逆相懸濁重合によって吸水性樹脂を作成する場合でも同様に、両親媒性高分子を重合工程の直前で加える。このように作製することによって、ゲルブロッキング回避のために多くの吸水性樹脂に対して行われている表面架橋処理工程が不要となるという利点もある。
【００４４】
具体的には、まず水溶性重合性モノマーの水溶液に、モノマーに対する重量として１５〜１００ｗ％の両親媒性高分子をあらかじめ溶解し、得られた両親媒性高分子を含む水溶性重合性モノマー水溶液にさらに架橋剤および開始剤を加えた後、熱重合を行う。得られたゲルを加熱乾燥した後、物理的に粉砕することによって、粒径が１００〜２０００μｍである吸水性樹脂微粒子を得る。また水溶性重合性モノマーを、これを溶解しない非水系有機溶媒中で高速攪拌することにより懸濁させ、加熱することによって重合させる逆相懸濁重合法や、水溶性重合性モノマー由来のポリマー水溶液を、あとから架橋剤を用いて架橋するポリマー架橋法などが挙げられるが、上記吸水性樹脂は、いずれの方法によるものであってもよい。
【００４５】
水溶性重合性モノマーは、市販の衛生用品に使用されているものであれば特に限定されない。例えば、アクリル酸ナトリウム（以下「ＡＡＮａ」と略記する。）モノマーを用い、これを架橋剤、重合開始剤とともにラジカル重合することによりゲル化したポリアクリル酸ナトリウム（以下「ＰＡＡＮａ」という）ゲルの乾燥体が挙げられる。他にもデンプン−アクリロニトリル共重合体の加水分解物やビニルエステルと不飽和カルボン酸またはその誘導体との共重合体のケン化物、デンプン−アクリル酸（または塩）のグラフト共重合架橋体、アクリル酸（塩）とスルホン酸（塩）含有モノマーとの共重合体、イソブチレン−無水マレイン酸共重合架橋体、カルボキシメチルセルロース誘導体の架橋物の乾燥体が、本発明における吸水性樹脂として使用できる。
【００４６】
両親媒性高分子は、吸水性樹脂表面の親疎水性改質効果だけでなく、タンパク質吸着抑制効果があるものを用いる。ここで用いる両親媒性高分子は、吸水性樹脂の疎水性領域同士の結合を防ぐために親水性領域があること、水溶液中でポリアニオンもしくはポリカチオンあるいは両方の性質を持って存在するタンパク質との静電的相互作用による吸着を回避するためにイオン性ではないこと、吸水性樹脂表面を柔毛状にすることによって、および高分子鎖の運動性によってタンパク質が物理的に吸着しにくくするために自由末端鎖を持った十分な長さの鎖状高分子であること、の３つを満たす物質であれば特に限定されない。好ましくは、アルキレン基の炭素数が２から４のポリアルキレンオキサイドであるポリエチレングリコール（炭素数２、以下「ＰＥＧ」と略記する）、ポリプロピレングリコール（炭素数３、以下「ＰＰＧ」と略記する）、ポリブチレングリコール（炭素数４、以下「ＰＢＧ」と略記する）、ポリオキシエチレンオキシプロピレングリコール、およびポリオキシエチレンオキシブチレングリコールならびにそれらの誘導体が挙げられる。これらのポリアルキレンオキサイド類は、生体適合性が高いうえ、タンパク質の吸着阻害能も高いと考えられる。
【００４７】
ここで、加える両親媒性高分子の分子量は、拡散性・水溶液の粘度の観点から、１０００〜５０００００であることが好ましく、より好ましくは２０００〜１０００００、更に好ましくは３０００〜７５０００、最も好ましくは４０００〜５００００である。この分子量の両親媒性高分子を用いることによって、その他に特別な添加剤を使用しなくとも、吸水性樹脂の内部および表面に両親媒性高分子を物理的に絡み合わせることができるため、簡便に目的の吸水性樹脂を得ることができる。添加する両親媒性高分子の分子量が小さすぎる場合には吸水性樹脂のゲル網目内を拡散してしまいタンパク質の表面吸着抑制効果が低くなり、また、大きすぎる場合には重合時の反応液粘度が高くなってしまうために適切な合成に至らないことがある。どの分子量を使用すれば良いかは、両親媒性高分子の添加量および水溶性重合性モノマーの調製条件などにより最適値が決まる。
【００４８】
また、両親媒性高分子の添加量は、少ない場合にはタンパク質の表面吸着抑制力が低くなるが、多い場合には吸水性樹脂の液体吸収力が損なわれるため、やはり最適値があり、これも上記同様、重合時の条件によって決定される。両親媒性高分子の添加量は、モノマーに対する重量として１５〜１００ｗ％が好ましく、より好ましくは１７〜９５ｗ％、最も好ましくは２０〜９０ｗ％である。この範囲にあれば、タンパク質の表面吸着を抑制し、経血の吸収量を多くすることができる。
【００４９】
上記方法によって作製される両親媒性高分子含有吸水性樹脂は、水溶性重合成モノマーの重合体と非イオン性両親媒性高分子高分子とを主な構成成分とするゲル状重合体の乾燥体であり、吸水性樹脂の表面にはタンパク質吸着を防ぐのに十分な長さの運動性のある両親媒性高分子鎖を有しており、吸水性樹脂の内部には水溶性重合性モノマーの重合体と両親媒性高分子の混合物となっている。
【００５０】
上記吸水性樹脂は、血球やタンパク質成分の樹脂表面への吸着、および樹脂同士の吸着が抑えられるため、血液によるゲルブロッキングが極めて少ない。このことにより、従来の手法による吸水性樹脂と比較して大量の血液を吸収できる。さらに、複数回の血液吸収、すなわち、繰り返し吸収も可能となる。
【００５１】
また、上記吸水性樹脂は、水溶性重合性モノマーの重合時に両親媒性高分子水溶液を添加するだけで良いため、既存の製造工程および製造装置を一部改良することで容易に製造できる。
【００５２】
さらに、上記吸水性樹脂を生理用ナプキンの吸収体に使用した場合、吸水性樹脂の吸水力を補うために用いられている粉砕パルプの使用量を抑えることができる。また、従来の生理用ナプキンと同様、血液の吸収時に拡散性の低分子など生じることが無いため、かぶれなどが生じる可能性は低い。
【００５３】
本発明に係る膣口吸収体付きナプキンは、膣口吸収体とナプキン本体が接着されている。このため、使用後はナプキン本体の経血が付着していない部位を掴んで取り外すことが可能であり、指に経血をつけることなく衛生的である。また、このときに、膣口吸収体が外れて衣類に接触することはないので、衣類を汚してしまう可能性は極めて低い。さらに、使用後のごみの数が一つで済むので、後処理も容易である。
【００５４】
また、本発明に係る膣口吸収体付きナプキンは、膣口吸収体が膣口から出てきた経血をナプキン本体の吸収領域中央部へと中継する。このため、膣口から離れたところへの経血の分散吸収や漏れの心配がなく、ナプキン本体の吸収体を有効利用することができるので、吸収体の面積を狭くし、ナプキン全体の大きさを小さくすることができる。
【産業上の利用可能性】
【００５５】
本発明は、生理用ナプキンに用いるに好適である。特に、就寝時などの経血漏れが生じやすいときに用いる生理用ナプキンとして有用である。
【図面の簡単な説明】
【００５６】
【図１】本発明の一実施の形態に係る膣口吸収体付きナプキンの斜視図
【図２】図１に示す膣口吸収体付きナプキンの平面図
【図３】図１に示す膣口吸収体付きナプキンの側面図
【図４】図１に示す膣口吸収体の縦断面図
【図５】本発明の別の形態に係る膣口吸収体付きナプキンの斜視図
【図６】図５に示す膣口吸収体付きナプキンの平面図
【図７】本発明のさらに別の形態に係る膣口吸収体付きナプキンの斜視図
【図８】ナプキン本体の横断面図
【符号の説明】
【００５７】
１００  膣口吸収体付きナプキン
２００  ナプキン本体
２１０  肌側表面
２２０  衣類側表面
２３０  吸収領域
２４０  表面シート
２５０  拡散層
２６０  吸収層
２７０  裏面シート
３００  膣口吸収体
３１０  膣口吸収体本体
３２０  膣口吸収体格納袋
３３０  接着箇所
３４０  支持部
３５０、３６０  取り付け部
【図１】
2007054136.tif 000003
【図２】
2007054136.tif 000004
【図３】
2007054136.tif 000005
【図４】
2007054136.tif 000006
【図５】
2007054136.tif 000007
【図６】
2007054136.tif 000008
【図７】
2007054136.tif 000009
【図８】
2007054136.tif 000010